(57)【要約】【課題】  設置や撤去に多くの手間を要せずしてオフシーズンのプールのエリアを他用途に転用可能にする他用途床をプール上に展設できるようにする。【解決手段】  プール１における水槽１ａを囲むプール周辺床１ｂの一部を形成するスタート側床部１ｃに配設され、あるいは、このスタート側床部１ｃに近隣されながらプール１の水槽１ａ内に配在される飛込み台２が昇降可能とされてなり、上昇時に上端をスタート側床部１ｃからの所定の高さ位置に維持し得ると共に、下降時に上端をスタート側床部１ｃにおける上端の高さ以下に変更可能にしてなる。【選択図】        図１
2005023729.tif 000002
【特許請求の範囲】
【請求項１】
プールにおける水槽を囲むプール周辺床の一部を形成するスタート側床部に配設され、あるいは、このスタート側床部に近隣されながらプールの水槽内に配在される飛込み台が昇降可能とされてなり、上昇時に上端をスタート側床部からの所定の高さ位置に維持し得ると共に、下降時に上端をスタート側床部における上端の高さ以下に変更可能にしてなることを特徴とするプール構造
【請求項２】
プールの水槽内における底床が固定床の上方に昇降可能に積層される可動床を有する二重床とされる一方で、上昇時の可動床における上端がプール周辺床における上端の高さと同一とされると共に、飛込み台が下降されて上端がプール周辺床における上端の高さと同一とされてなる請求項１に記載のプール構造
【発明の詳細な説明】
【技術分野】
【０００１】
この発明は、プール構造に関し、特に、いわゆるプールのエリアを他用途に転用できるようにしたプール構造の改良に関する。
【背景技術】
【０００２】
近年のプールの中には、シーズン中にはプールとして利用するが、オフシーズンには、いわゆるプールのエリアを床で覆うようにしてこの床上を他の用途に転用できるようにした提案がある（たとえば、特許文献1参照）。
【０００３】
すなわち、この提案では、プールの水槽内における底床を形成する可動床がプールの水槽内で昇降可能とされていて、特に、プールの不使用時には、可動床がプールの水槽を囲むプール周辺床よりも高くされて、プールの水槽をいわゆる床で覆う状態にするとしている。
【０００４】
それゆえ、この提案にあっては、不使用時のプールを覆うようになる可動床の周辺にこの可動床を水平方向から取り囲むようにする別の周辺床を適宜の構造下に連結することで、いわゆるプールの上方に他用途床を展設することが可能になる。
【特許文献１】特許２９９７４０６号公報（段落特許請求の範囲（１），同（２），図１，図２）
【発明の開示】
【発明が解決しようとする課題】
【０００５】
しかしながら、上記した提案にあっては、凡そこれまでのプールがそうであるように、プールの水槽を囲むプール周辺床の一部を形成するスタート側床部に飛込み台が固定状態に連設されているから、この飛込み台を露呈させない状態に他用途床を展設するについては、可動床を飛込み台より高く上昇させた状態に維持する必要がある。
【０００６】
そして、この飛込み台より高く上昇した可動床の周辺に連結される言わば他用途床における周辺床にあって、その上端が上昇された可動床の上端と同一の高さになるように設定される場合には、プールにおけるプール周辺床を囲む他部の高さとの間に段差を生じることになり、この段差を解消する手立ても必要になる。
【０００７】
その結果、上記した提案による場合には、オフシーズンのプールのエリアを他用途に転用可能にする他用途床を展設するについては、床材以外に脚を形成するための部材が、しかも、多数必要になり、設置や撤去に多くの手間を要することになる不具合がある。
【０００８】
この発明は、このような現状を鑑みて創案されたものであって、その目的とするところは、設置や撤去に多くの手間を要せずしてオフシーズンのプールのエリアを他用途に転用可能にする他用途床をプール上に展設でき、その汎用性の向上を期待するのに最適となるプール構造を提供することである。
【課題を解決するための手段】
【０００９】
上記した目的を達成するために、この発明によるプール構造の構成を、基本的には、プールにおける水槽を囲むプール周辺床の一部を形成するスタート側床部に配設され、あるいは、このスタート側床部に近隣されながらプールの水槽内に配在される飛込み台が昇降可能とされてなり、上昇時に上端をスタート側床部からの所定の高さ位置に維持し得ると共に、下降時に上端をスタート側床部における上端の高さ以下に変更可能にしてなるとする。
【００１０】
また、上記した構成において、より具体的には、プールの水槽内における底床が固定床の上方に昇降可能に積層される可動床を有する二重床とされる一方で、上昇時の可動床における上端がプール周辺床における上端の高さと同一とされると共に、飛込み台が下降されて上端がプール周辺床における上端の高さと同一とされてなるとする。
【発明の効果】
【００１１】
それゆえ、飛込み台が昇降可能とされることから、飛込み台の上端をプールのスタート側床部から所定の高さに維持することで、たとえば、プールが飛込み台以外の部分で公式プールの要件を満たす場合に、この飛込み台を公式プールにおける飛込み台として利用し得ることになる。
【００１２】
そして、飛込み台を下降させて飛込み台の上端をこの飛込み台を出没させるスタート側床部における上端の高さと同一になるようにすることで、スタート側床部を含むプールの水槽を囲むプール周辺床を同一面化し得ることになる。
【００１３】
その結果、プールの水槽内に適宜の手段で床を展設する場合には、この水槽内の床と上記のプールの水槽を囲む周辺床との間における同一面化を可能にし得ることになる。
【００１４】
そして、プールの水槽内に昇降可能に可動床を有するから、この可動床を上昇させることで、プールの水槽内にプールの水槽を囲むプール周辺床と同一面化できる床を展設できることになる。
【００１５】
そして、このとき、プールのスタート側床部に配設された飛込み台をスタート側床部の高さ以下に下降させることで、プールにおける水槽内に展設される可動床からなる床とプール周辺床との間における同一面化を可能にする。
【００１６】
のみならず、プールにおける水槽内に展設される可動床からなる床上、および、この可動床からなる床と同一面化されるプールの周辺床上に別に他用途床を展設することが可能になり、このとき、プールにおける水槽内に展設される可動床からなる床とこの可動床からなる床と同一面化されるプール周辺床との間に生じることがある隙間の発生を回避できる。
【００１７】
その結果、この発明によれば設置や撤去に多くの手間を要せずしてオフシーズンのプールのエリアを他用途に転用可能にする他用途床をプール上に展設でき、その汎用性の向上を期待するのに最適となる。
【発明を実施するための最良の形態】
【００１８】
以下に、図示した実施形態に基づいて、この発明を説明するが、この発明によるプール構造は、図示するところにあって、いわゆるプールのエリアを他用途に転用し得るようにする態様に具現化される。
【００１９】
すなわち、まず、この発明によるプール構造が具現化されるプール１は、図１に示すように、プール１の水槽１ａを囲むプール周辺床１ｂの一部を形成するスタート側床部１ｃに近隣しながらプール１の水槽１ａ内に配在される飛込み台２が昇降可能とされてなるとしている。
【００２０】
そして、この飛込み台２は、その上昇時に上端をスタート側床部１ｃの上端からとなる所定の高さ位置に維持し得ると共に、図２に示すように、その下降時に上端をスタート側床部１ｃの上端における高さ以下に変更可能にしている。
【００２１】
ちなみに、飛込み台２を昇降させる手段については、任意の構成が選択されて良いが、図示するように、飛込み台２がプール１における水槽１ａ内に配在される場合には、水槽１ａ内の水を汚染する可能性がすくないから、たとえば、水を利用した流体圧シリンダが利用されるであろう。
【００２２】
そして、飛込み台２については、これがプール１の水槽１ａ内に配在されることに代えて、図示しないが、スタート側床部１ｃに出没可能に設けられてなるとしても良く、この場合には、水槽１ａ内の水を汚染する可能性を排除できるだろうから、たとえば、油圧シリンダが利用されても良く、また、ラックアンドピニオン機構が利用されるとしても良い。
【００２３】
なお、飛込み台２自体の構造については、自由な構造が選択されて良いが、飛込み台２がプール１における水槽１ａ内に配在される場合には、たとえば、飛込み台が後述する可動床３のように、内部に密閉状態を現出できる容室を有してなるとしても良い。
【００２４】
そして、容室内に空気を貯留することで、浮力を具有し、容室内に水を貯留することで、重力を大きくするとし、この浮力あるいは重力の利用で飛込み台２の昇降に要するエネルギーのいわゆる省エネを図るとしても良い。
【００２５】
それゆえ、上記の飛込み台２を上昇させて、その上端をプール１のスタート側床部１ｃからとなる所定の高さに維持することで、たとえば、プール１が飛込み台２以外の部分で公式プールの要件を満たす場合に、この飛込み台２を公式プールにおける飛込み台として利用し得ることになる。
【００２６】
そして、飛込み台２を下降させてこの飛込み台２の上端をスタート側床部１ｃ上端におけるの高さと同一以下になるようにすることで、スタート側床部１ｃを含むプール１の水槽１ａを囲むプール周辺床１ｂを同一面化し得ることになる。
【００２７】
その結果、プール１の水槽１ａ内に、後述することであるが、適宜の手段で別途に床を展設する場合（図３参照）には、この水槽１ａ内の、たとえば、後述する可動床３からなる床と上記のプール１の水槽１ａを囲むプール周辺床１ｂとの間における同一面化を可能にし得ることになる。
【００２８】
以上からすれば、この発明にあっては、飛込み台２が昇降可能とされていて、それゆえ、飛込み台２を下降させてプール周辺床１ｂより突出させないようにすることが可能になり、飛込み台２が突出していることで、いわゆる邪魔になる事態を回避でき、いわゆるプール１のエリアを他用途に転用するための他用途床の展設をいたずらな手間を要することなく実行し得ることになる。
【００２９】
ところで、上記のようにして、プール１のエリアを他用途に転用できることになるが、この発明を具現化する図示するところでは、まず、プール１の水槽１ａ内における底床が固定床１ｄの上方に昇降可能に積層される可動床３を有する二重床構造とされてなるとしている。
【００３０】
そして、図３に示すところでは、上昇時の可動床３における上端がプール１のスタート側床部１ｃ、すなわち、プール周辺床１ｂにおける上端の高さと同一とされると共に、このとき、飛込み台２が下降されて上端がプール周辺床１ｂにおける上端の高さと同一とされてなるとする。
【００３１】
それゆえ、プール１の水槽１ａ内に昇降可能に可動床３を有することで、プール１の水槽１ａ内にプール１の水槽１ａを囲むプール周辺床１ｂと同一面化できる床を展設することが可能になる。
【００３２】
そして、このとき、前記したことでもあるが、プール１のスタート側床部１ｃに配設された飛込み台２をスタート側床部１ｃの高さ以下に下降させることで、プール１における水槽１ａ内に展設される可動床３からなる床とプール１のプール周辺床１ｂとの間における同一面化を可能にし得ることになる。
【００３３】
のみならず、図３中に仮想線図で示すように、プール１における水槽１ａ内に展設される可動床３からなる床上、および、プール１におけるプール周辺床１ｂ上に別に他用途床４を展設することが可能になり、このとき、可動床３とこの可動床３と同一面化されるプール周辺床１ｂとの間に生じることがある隙間を上方から隠蔽することが可能になる。
【００３４】
ところで、可動床３およびこの可動床３を昇降させる昇降手段５について、少し説明すると、まず、可動床３は、基本的には、パネル構造に形成されてなるとして、全体の軽量化を可能にし、この可動床３の昇降に要するエネルギーのいたずらな増大化を阻止するとしている。
【００３５】
そして、この可動床３にあっては、パネル構造を形成するパネル部材が内部に空気あるいは水の貯留を可能にする容室を有するように形成されてなるとしている。
【００３６】
それゆえ、この可動床３にあって、全部のあるいは選択されたパネル部材における容室内に水を貯留することで、パネル部材における比重が水よりも大きくなり、したがって、積極的に外力を作用させなくても可動床３が水槽１ａ内でその自重で下降し得ることになり、上記したいわゆる省エネを実現可能にすることになる。
【００３７】
そして、この可動床３にあって、全部のあるいは選択されたパネル部材における容室内に水に代える空気を貯留させることで、パネル部材が浮力を有するようにし、したがって、たとえば、図２中に矢印で示すような方向の外力を積極的に作用させなくても可動床３が水槽１ａ内で上昇し得ることになり、同じく上記したいわゆる省エネを実現可能にすることになる。
【００３８】
つぎに、上記のように形成された可動床３を昇降させる昇降手段５についてだが、基本的には、自由な構造のものが選択されて良い。
【００３９】
ただ、図示するところでは、可動床３が浮力を有し、あるいは、重量を大きくし得る構成に形成されてなることから、折り畳み構造に形成された脚５１を有すると共に、この脚５１の折り畳み状態(図１参照)あるいは引伸ばし状態（図３参照）を選択的に維持し解除する折り畳み部５２を有してなるとしている。
【００４０】
それゆえ、上記したように、可動床３が自重で下降する際、あるいは、浮力で上昇する際に、折り畳み部５２がこの動きを規制しないように機能するとき、いわゆる省エネ下に可動床の昇降を実現し得ることになる。
【００４１】
前記したところは、飛込み台２がいわゆる１番から６番までを連続させる布状に形成されているとしているが、この発明が意図するところからすれば、１番から６番までの各飛込み台２が独立に形成されてなるとしても良く、布状にするか独立型にするかで、たとえば、昇降手段がの選択されるとしても良いこともちろんである。
【図面の簡単な説明】
【００４２】
【図１】この発明によるプール構造を具現化したプールを一部破断して示す概略図である 。
【図２】図１のプールの不使用時における一の形態を図１と同様に示す図である。
【図３】図１のプールの不使用時における他の形態をプール上に他用途床を展設した状態で図１と同様に示す図である。
【符号の説明】
【００４３】
１  プール
１ａ  水槽
１ｂ  プール周辺床
１ｃ  スタート側床部
１ｄ  底床
２  飛込み台
３  可動床
４  他用途床
５  昇降手段
５ａ  脚
５ｂ  折り畳み部
【図１】
2005023729.tif 000003
【図２】
2005023729.tif 000004
【図３】
2005023729.tif 000005